(57)【要約】【課題】  折紙に折り目を形成し、誰でもその折り目に沿って正確に折紙を折ることができる折り目形成装置を提供する。【解決手段】  折り目形成装置１は、基台３２と、折り目形成部材２０と、押圧部材６０とからなる。折り目形成部材２０は、平板２１と、平板２１の表面２１ａ及び裏面２１ｂに形成された折り目稜線２２ａ，２２ｂ、２３ａ，２３ｂと、折紙２の動きを規制する規制部材２５とを有する。基台３２の上面３２ａには、折り目形成部材２０を案内する案内部材４０と、平板２１の表面２１ａ又は裏面２１ｂを支持する支持突起５１〜５３が形成されている。押圧部材６０は、折紙２を折り目稜線に押し付けて、折紙２に折り目を形成する弾性部材７０が設けられている。【選択図】        図１
2008230773.tif 000002
【特許請求の範囲】
【請求項１】
下記の要件を備えたことを特徴とする折り目形成装置。
（イ）基台と、折り目形成部材と、押圧部材とからなること。
（ロ）折り目形成部材は、矩形状の平板と、平板の表面及び裏面に形成された、折紙に折り目を形成する折り目稜線と、平板の表面又は裏面に形成された折り目稜線に載せた折紙の動きを規制する規制部材とを有すること。
（ハ）基台の上面には、折り目形成部材を案内する案内部材と、折り目形成部材の平板の表面又は裏面を支持する支持突起が形成されていること。
（ニ）押圧部材は、折り目稜線に載せた折紙を折り目稜線に押し付けて、折紙に折り目を形成する弾性部材が設けられていること。
【請求項２】
下記の要件を備えたことを特徴とする折り目形成装置。
（イ）収容ケースと、折り目形成部材と、押圧部材とからなること。
（ロ）収容ケースは、矩形箱状に形成され、基台と、基台の周縁に形成された側壁とからなり、上部が開放されていること。
（ハ）折り目形成部材は、矩形状の平板と、平板の表面及び裏面に形成された、折紙に折り目を形成する折り目稜線と、平板の表面又は裏面に形成された折り目稜線に載せた折紙の動きを規制する規制部材とを有すること。
（ニ）基台の上面には、折り目形成部材を案内する案内部材と、折り目形成部材の平板の表面又は裏面を支持する支持突起が形成されていること。
（ホ）押圧部材は、折り目稜線に載せた折紙を折り目稜線に押し付けて、折紙に折り目を形成する弾性部材が設けられていること。
【請求項３】
下記の要件を備えたことを特徴とする請求項１又は２記載の折り目形成装置。
（イ）折り目形成部材は、規制部材の外側に第１の係合部が形成されていること。
（ロ）基台の上面に形成された案内部材には、前記折り目形成部材の第１の係合部と係合する第２の係合部が形成されていること。
【発明の詳細な説明】
【技術分野】
【０００１】
本発明は、折紙に折り目を形成し、折紙を折り易くする折り目形成装置に関するものである。
【背景技術】
【０００２】
従来の折紙は、正方形に形成され、折り畳むことによって、鶴、舟、人形等を製作するものである。この折り畳みは、正確に行わないと、出来上がった作品の見栄えが非常に悪いものになる。そのため、製作する前に折り目を形成する。例えば、対向する頂点を重ね合わせて三角形を形成するように折り畳んで斜めに伸びる折り目を形成したり、対向する辺を重ね合わせて長方形を形成するように折り畳んで略中央の位置に真っ直ぐに伸びる折り目を形成したりする。しかし、このような折り目を正確に形成することは、幼児や子ども、手先の不器用な人には難しく、結局折り目を形成しても、折り目自体が不正確であるため、見栄えの良い作品を製作することができなかった。従って、折紙の折る位置を示す折り線を印刷しておくことが考えらている（例えば、特許文献１）。
【特許文献１】実用新案登録第３０８５０３５号公報
【発明の開示】
【発明が解決しようとする課題】
【０００３】
しかし、折紙は、最初から折り線を印刷しておくと、見た目が悪いという問題点があった。また、出来上がった作品に折り線が見えると、興趣に欠けるという問題点があった。そのため、折紙は、最初から単一色無模様が望ましい。そこで、特殊インキで折り線を印刷し、折り線が時間の経過に伴って消失する折紙も考えられるが、折紙自体が高価になってしまうという問題点が新たに発生した。なお、折紙は、例え折り線が印刷されていたとしても、折り線に沿って正確に折れるとは限らない。
【０００４】
本願発明は、上記問題点に鑑み案出したものであって、折紙に折り目を形成し、誰でもその折り目に沿って正確に折紙を折ることができ、見栄えの良い作品を簡単に製作することができる折り目形成装置を提供することを目的とする。
【課題を解決するための手段】
【０００５】
本願請求項１に係る折り目形成装置は、上記目的を達成するため、下記の要件を備えたことを特徴とする。
（イ）基台と、折り目形成部材と、押圧部材とからなること。
（ロ）折り目形成部材は、矩形状の平板と、平板の表面及び裏面に形成された、折紙に折り目を形成する折り目稜線と、平板の表面又は裏面に形成された折り目稜線に載せた折紙の動きを規制する規制部材とを有すること。
（ハ）基台の上面には、折り目形成部材を案内する案内部材と、折り目形成部材の平板の表面又は裏面を支持する支持突起が形成されていること。
（ニ）押圧部材は、折り目稜線に載せた折紙を折り目稜線に押し付けて、折紙に折り目を形成する弾性部材が設けられていること。
【０００６】
本願請求項２に係る折り目形成装置は、上記目的を達成するため、下記の要件を備えたことを特徴とする。
（イ）収容ケースと、折り目形成部材と、押圧部材とからなること。
（ロ）収容ケースは、矩形箱状に形成され、基台と、基台の周縁に形成された側壁とからなり、上部が開放されていること。
（ハ）折り目形成部材は、矩形状の平板と、平板の表面及び裏面に形成された、折紙に折り目を形成する折り目稜線と、平板の表面又は裏面に形成された折り目稜線に載せた折紙の動きを規制する規制部材とを有すること。
（ニ）基台の上面には、折り目形成部材を案内する案内部材と、折り目形成部材の平板の表面又は裏面を支持する支持突起が形成されていること。
（ホ）押圧部材は、折り目稜線に載せた折紙を折り目稜線に押し付けて、折紙に折り目を形成する弾性部材が設けられていること。
【０００７】
本願請求項３に係る折り目形成装置は、上記目的を達成するため、上記要件に加え、下記の要件を備えたことを特徴とする。
（イ）折り目形成部材は、規制部材の外側に第１の係合部が形成されていること。
（ロ）基台の上面に形成された案内部材には、前記折り目形成部材の第１の係合部と係合する第２の係合部が形成されていること。
【発明の効果】
【０００８】
本願発明に係る折り目形成装置は、平板の表面又は裏面を上方に向けて、折り目形成部材を基台の上面に載置すると、折り目形成部材は、案内部材に案内されて基台に取り付けられ、さらに下方に向いた平板の表面又は裏面が支持突起に支持される。支持突起は、折り目形成部材の平板の表面又は裏面に設けられた折り目稜線と接しないようして、平板の表面又は裏面に当接する。折紙を折り目形成部材の上方に向けた表面又は裏面に載せると、折紙は規制部材によって位置決めされ、折り目稜線に当接する。押圧部材の弾性部材を、折り目形成部材上の折紙に当接させ、押圧部材を押圧すると、弾性部材が折紙を押圧し、折紙が折り目形成部材の折り目稜線に押し付けられて折り目を形成する。このように、本願発明に係る折り目形成装置は、誰でもが折紙に折り目を正確且つ簡単に形成することができるという効果がある。
【０００９】
本願発明に係る折り目形成装置は、前記基台を収容ケースの底部材として形成することができ、このように形成すると、収容ケース内に、折り目形成部材と、折紙の束と、押圧部材を収容することができ、コンパクトに整理することができるという効果がある。
【００１０】
本願発明に係る折り目形成装置は、折り目形成部材の規制部材の外側に形成された第１の係合部を、基台の上面に形成された案内部材の第２の係合部に係合することにより、折り目形成部材を基台に正確に位置決めして載置することができるという効果がある。
【発明を実施するための最良の形態】
【００１１】
本願発明に係る折り目形成装置の一つの実施の形態を図１乃至図１０に基づいて説明する。図１は、本願発明に係る折り目形成装置を上から視た分解斜視図である。図２は、押圧部材を下から視た斜視図である。図３は、図１の折り目形成装置を上から視た組立斜視図である。図４は、図３の折り目形成装置の断面図である。図５、６は、図１の折り目形成装置の使用状態を示す側面図である。図７は、一つの折り目形成部材の斜視図であって、（ａ）は一方から視た斜視図、（ｂ）は他方から視た斜視図である。図８は、他の折り目形成部材の斜視図であって、（ａ）は一方から視た斜視図、（ｂ）は他方から視た斜視図である。
【００１２】
折り目形成装置１は、基台３２と、基台３２の上方に配置される折り目形成部材１０，２０と、折り目形成部材１０，２０の上方に配置される押圧部材６０とからなる。折り目形成部材１０，２０は、矩形状の平板１１，２１と、平板１１，２１の表面１１ａ，２１ａ及び裏面１１ｂ，２１ｂに形成された、折紙２に折り目を形成する折り目稜線１２ａ〜１２ｄ、１３ａ〜１３ｃ、２２ａ，２２ｂ、２３ａ，２３ｂと、平板１１，２１の表面１１ａ，２１ａ又は裏面１１ｂ，２１ｂに形成された折り目稜線１２ａ〜１２ｄ、１３ａ〜１３ｃ、２２ａ，２２ｂ、２３ａ，２３ｂに載せた折紙２の動きを規制する規制枠（規制部材）１５，２５とを有する。
【００１３】
基台３２の上面３２ａには、折り目形成部材１０，２０を案内する案内枠（案内部材）４０と、折り目形成部材１０，２０の平板１１，２１の表面１１ａ，２１ａ又は裏面１１ｂ，２１ｂを支持する支持突起５１〜５３が形成されている。押圧部材６０は、折り目稜線１２ａ〜１２ｄ、１３ａ〜１３ｃ、２２ａ，２２ｂ、２３ａ，２３ｂに載せた折紙２を折り目稜線１２ａ〜１２ｄ、１３ａ〜１３ｃ、２２ａ，２２ｂ、２３ａ，２３ｂに押し付けて、折紙２に折り目を形成する弾性部材７０が設けられている。
【００１４】
なお、折り目形成装置１は、収容ケース３１と、収容ケース３１内に収容される折り目形成部材１０，２０と、収容ケース３１内に収容され、折り目形成部材１０，２０の上方に配置される押圧部材６０とからなるようにしても良い。収容ケース３１は、矩形箱状に形成され、上記した基台３２と、基台３２の周縁に形成された側壁３３〜３６とからなり、上部が開放されている。また、折り目形成部材１０，２０は、規制枠（規制部材）１５，２５の外側に係合凸起（第１の係合部）１６，２６が形成されているようにしても構わない。基台３２の上面３２ａに形成れた案内枠（案内部材）４０には、前記折り目形成部材１０，２０の係合凸起（第１の係合部）１６，２６と係合する係合凹部（第２の係合部）４６が形成されている。
【００１５】
折り目形成装置１は、平板１１，２１の表面１１ａ，２１ａ又は裏面１１ｂ，２１ｂを上方に向けて、折り目形成部材１０，２０を基台３２の上面３２ａに載置すると、折り目形成部材１０，２０は、案内枠（案内部材）４０に案内されて基台３２に取り付けられ、さらに下方に向いた平板１１，２１の表面１１ａ，２１ａ又は裏面１１ｂ，２１ｂが支持突起５１〜５３に支持される。支持突起５１〜５３は、折り目形成部材１０，２０の平板１１，２１の表面１１ａ，２１ａ又は裏面１１ｂ，２１ｂに設けられた折り目稜線１２ａ〜１２ｄ、１３ａ〜１３ｃ、２２ａ，２２ｂ、２３ａ，２３ｂと接しないようして、平板１１，２１の表面１１ａ，２１ａ又は裏面１１ｂ，２１ｂに当接する。
【００１６】
折紙２を折り目形成部材１０，２０の上方に向けた表面１１ａ，２１ａ又は裏面１１ｂ，２１ｂに載せると、折紙２は規制枠（規制部材）１５，２５によって位置決めされ、折り目稜線１２ａ〜１２ｄ、１３ａ〜１３ｃ、２２ａ，２２ｂ、２３ａ，２３ｂに当接する。押圧部材６０の弾性部材７０を、折り目形成部材１０，２０上の折紙２に当接させ、押圧部材６０を押圧すると、弾性部材７０が折紙２を押圧し、折紙２が折り目形成部材１０，２０の折り目稜線１２ａ〜１２ｄ、１３ａ〜１３ｃ、２２ａ，２２ｂ、２３ａ，２３ｂに押し付けれられて折り目を形成する。このように、折り目形成装置１は、誰でもが折紙２に折り目を正確且つ簡単に形成することができる。
【００１７】
折り目形成装置１は、前記基台３２を収容ケース３１の底部材として形成すると、収容ケース３１内に、折り目形成部材１０，２０と、折紙２の束３と、押圧部材６０を収容することができ、コンパクトに整理することができる。また、折り目形成装置１は、折り目形成部材１０，２０の規制枠（規制部材）１５，２５の外側に形成された係合凸起（第１の係合部）１６，２６を、基台３２の上面３２ａに形成れた案内枠（案内部材）４０の係合凹部（第２の係合部）４６に係合することにより、折り目形成部材１０，２０を基台３２に正確に位置決めして載置することができる。
【００１８】
さらに、折り目形成装置１について詳細に説明する。折り目形成部材１０，２０は、合成樹脂素材によって一体成形されている。図７に示すように、一つの折り目形成部材１０は、略正四角形の平板１１と、平板１１の表面１１ａに形成された折り目稜線１２ａ〜１２ｄと、平板１１の裏面１１ｂに形成された折り目稜線１３ａ〜１３ｃを有する。さらに、平板１１の周縁には、ガイド板１５ａ〜１５ｄからなる規制枠（規制部材）１５が設けられている。
【００１９】
平板１１は、折紙２と略同じ大きさに形成されている。折り目稜線は、折紙２に折り目を形成するように、断面形状が略三角形状となっており、頂点が鋭角となっている。折り目稜線１２ａ〜１２ｄは、それぞれ両端が接続されて正四角形状を形成している。折り目稜線１３ａ〜１３ｃは、略平行に等間隔あけて設けられている。ガイド板１５ａ〜１５ｄは、折り目稜線１２ａ〜１２ｄ，１３ａ〜１３ｃより高く形成され、折り目稜線１２ａ〜１２ｄ，１３ａ〜１３ｃに載せた折紙２の動きを規制する規制枠（規制部材）１５となる。規制枠（規制部材）１５の外側、即ちガイド板１５ａ〜１５ｄの外側には、それぞれ二つの係合凸起（第１の係合部）１６・・・が形成されている。
【００２０】
図８に示すように、もう一つの折り目形成部材２０は、略正四角形の平板２１と、平板２１の表面２１ａに形成された折り目稜線２２ａ，２２ｂと、平板２１の裏面２１ｂに形成された折り目稜線２３ａ，２３ｂを有する。さらに、平板２１の周縁には、ガイド板２５ａ〜２５ｄからなる規制枠（規制部材）２５が設けられている。
【００２１】
平板２１は、折紙と略同じ大きさに形成されている。折り目稜線は、折紙２に折り目を形成するように、断面形状が略三角形状となっており、頂点が鋭角となっている。折り目稜線２２ａ，２２ｂは、平板２１の対角線を形成するようにしてＸ字状に設けられている。折り目稜線２３ａ，２３ｂは、平板２１の対向する端縁の略中心を結ぶようにして十字状に設けられている。ガイド板２５ａ〜２５ｄは、折り目稜線２２ａ，２２ｂ、２３ａ，２３ｂより高く形成され、折り目稜線２２ａ，２２ｂ、２３ａ，２３ｂに載せた折紙２の動きを規制する規制枠（規制部材）２５となる。規制枠（規制部材）２５の外側、即ちガイド板２５ａ〜２５ｄの外側には、それぞれ二つの係合凸起（第１の係合部）２６・・・が形成されている。
【００２２】
図１，５に示すように、収容ケース３１は、合成樹脂素材によって矩形箱状に一体成形され、矩形状の基台３２と、基台３２の周縁に形成された側壁３３〜３６とからなり、上部３７が開放されている。基台３２の上面３２ａには、前記折り目形成部材１０，２０を案内する案内枠（案内部材）４０と、折り目形成部材１０，２０の平板１１，２１の表面１１ａ，２１ａ又は裏面１１ｂ，２１ｂを支持する支持突起５１〜５３が形成されている。対向する側壁３３，３５の上端中央部には、係止突起３８，３９が設けられている。
【００２３】
案内枠（案内部材）４０は、第１の案内片４１と、第１の案内片４１の一端に一端が略直角に連設された第２の案内片４２と、第１の案内片４１の他端に一端が略直角に連設された第３の案内片４３と、第２の案内片４２の他端と第３の案内片４３の他端に連設された第４の案内片４４とからなる。前記折り目形成部材１０（２０）は、ガイド板１５ａ〜１５ｄ（２５ａ〜２５ｄ）が、案内片４１〜４４の内側に案内されるようにして、案内枠（案内部材）４０内に収納される。案内片４１〜４４の上端には、前記折り目形成部材１０（２０）の係合凸起（第１の係合部）１６（２６）を係合する係合凹部（第２の係合部）４６が形成されている。
【００２４】
基台３２の上面３２ａに形成された支持突起５１は、大リング状に延設されている。また、支持突起５２は、前記支持突起５１より小さい中間リング状に延設されている。さらに、支持突起５３は、前記支持突起５２より小さい小リング状に延設されている。支持突起５１〜５３は、前述したように、折り目形成部材１０（２０）の平板１１（２１）の表面１１ａ（２１ａ）又は裏面１１ｂ（２１ｂ）に当接して支持する突起であり、前記した折り目稜線が接触しないように挿通させる切り欠き５１ａ〜５３ａを備えている。なお、切り欠き５１ａ〜５３ａの長さは、一定ではない。
【００２５】
支持突起５１〜５３は、折り目形成部材１０（２０）の平板１１（２１）の表面１１ａ（２１ａ）全体又は裏面１１ｂ（２１ｂ）全体に当接して支持する突起であれば良いので、折り目稜線に接触しないものであれば特に形状に限定されるものでない。なお、支持突起５１〜５３は、折り目稜線より高く形成され、折り目形成部材１０（２０）の平板１１（２１）の表面１１ａ（２１ａ）又は裏面１１ｂ（２１ｂ）に当接している場合、折り目稜線の先端が基台３２の上面３２ａに接触することはない。支持突起５３は、基台３２の略中心側に設けられ、加わる力も大きくなるので、リブ５４で補強しておいても構わない。
【００２６】
図１に示すように、押圧部材６０は、押圧板６１と、押圧板６１の上面６１ａに設けられた円盤状の握持部材６２と、押圧板６１の周縁に設けられたガイド板６３〜６６とからなる。図６に示すように、押圧部材６０は、ガイド板６３〜６６が、側壁３３〜３６の内側に案内されるようにして、収容ケース３１内に収容される。押圧部材６０は、収容ケース３１内に収容された時に、ガイド板６３〜６６が前記折り目形成部材１０（２０）の係合凸起（第１の係合部）１６（２６）と接触しないように、ガイド板６３〜６６に切り欠き６８・・が形成されている。
【００２７】
図２，５に示すように、押圧部材６０は、押圧板６１の下面６１ｂに弾性部材７０が接着材等により固定されている。弾性部材７０は、スポンジ、合成ゴム、ウレタン等の弾性素材によって直方体状に形成されている。弾性部材７０は、前記折り目形成部材１０（２０）のガイド板１５ａ（２５ａ）〜１５ｄ（２５ｄ）からなる規制枠（規制部材）１５（２５）内に嵌合する大きさに形成されている。
【００２８】
また、押圧部材６０は、押圧板６１の上面６１ａにリブ６９が形成されている。さらに押圧部材６０は、押圧板６１の上面６１ａ両側に係止片７２，７２が回動可能に取り付けられている。係止片７２は、一対のアーム７３，７３と、一対のアーム７３，７３の先端を連結する連結片７５とによって略Ｕ字状に形成されている。一対のアーム７３，７３は、中間部において略直角に折曲され、基部が押圧板６１の上面６１ａに設けられた軸受け部７６，７６に回動可能に枢着され、連結片７５が収容ケース３１の係止突起３８，３９に係脱可能に係止されるようになっている。
【００２９】
折り目形成装置１は、以下のように使用する。鶴、舟、兜等の折る種類に合わせて、折り目形成部材１０，２０を選択する。例えば、図１に示すように、折り目形成部材２０を選択し、裏面２１ｂを上向きにして、収容ケース３１の基台３２上に配置する。折り目形成部材２０は、ガイド板２５ａ〜２５ｄが第１の案内片４１〜第４の案内片４４の内側に案内され、ガイド板２５ａ〜２５ｄに形成された係合凸起（第１の係合部）２６が第１の案内片４１〜第４の案内片４４の係合凹部（第２の係合部）４６に係合して、基台３２に位置決めされる。
【００３０】
折り目形成部材２０は、表面２１ａが下方に向いており、表面２１ａが基台３２の支持突起５１〜５３に当接して支持される。表面２１ａに形成された折り目稜線２２ａ，２２ｂは、支持突起５１〜５３に形成された切り欠き５１ａ〜５３ａに挿通するので、支持突起５１〜５３に乗り上げることはない。折り目形成部材２０の上方に向いた裏面２１ｂ上に折紙２を載せる。折紙２は、周縁が規制枠（規制部材）２５のガイド板２５ａ〜２５ｄ内面によって案内されて動きが規制され、折り目稜線２３ａ，２３ｂ上に配置される。
【００３１】
図６に示すように、握持部材６２を握持し、押圧部材６０の弾性部材７０を下方に向けて、押圧部材７０を折り目形成部材２０の上方から収容ケース３１内に押し込む。押圧部材６０の弾性部材７０が、折り目形成部材２０の規制枠（規制部材）２５内に嵌合する。押圧部材７０を押圧すると、弾性部材７０の折り目稜線２３ａ，２３ｂと接触する部分が、折り目稜線２３ａ，２３ｂを包み込むように撓み、折紙２を折り目稜線２３ａ、２３ｂの頂点に押し付ける。押圧部材６０を上方に引き戻し、折紙２を折り目形成部材２０から取り出すと、折紙２に折り目が形成されている。この折り目を利用して折紙２を所望する形態に折り畳むことができる。なお、図５，６は、折り目形成部材１０を用いての使用状態を示す図であり、折り目形成部材２０を利用している図１とは異なるが、使用形態は同じなので、説明に利用している。
【００３２】
このように、折紙２に折り目を形成したい場合には、折り目形成部材１０（２０）の表面１１ａ（２１ａ）又は裏面１１ｂ（２１ｂ）を上向きにして、収容ケース３１の基台３２上に配置し、折り目形成部材１０（２０）の上方に向いた表面１１ａ（２１ａ）又は裏面１１ｂ（２１ｂ）上に折紙２を載せ、押圧部材６０の弾性部材７０を折紙２に押し付けるだけでよい。図６に示すように、押圧部材６０の押圧板６１に設けられた一対の係止片７２，７２は、押圧部材６０の押圧時に、内側に回動して収容ケース３１内に入るので、押圧部材６０の押圧作業に支障をきたすことがない。
【００３３】
図４に示すように、押圧部材６０は、押圧板６１に設けられた一対の係止片７２，７２の連結片７５，７５を収容ケース３１の係止突起３８，３９に係止させると、アーム７３・・が収容ケース３１の側壁３３，３５上端に当接して押圧板６１を固定し、収容ケース３１の蓋部材として機能させることができる。この収容ケース３１と押圧部材６０の間の収容空間には、折紙の束３、折り目形成部材１０，２０を重ねて収容して整理することができる。
【産業上の利用可能性】
【００３４】
本発明に係る折り目形成装置は、折紙に折り目を形成する玩具に利用可能である。
【図面の簡単な説明】
【００３５】
【図１】本願発明に係る折り目形成装置を上から視た分解斜視図である。
【図２】押圧部材を下から視た斜視図である。
【図３】図１の折り目形成装置を上から視た組立斜視図である。
【図４】図３の折り目形成装置の断面図である。
【図５】図１の折り目形成装置の使用状態を示す側面図である。
【図６】図１の折り目形成装置の使用状態を示す側面図である。
【図７】一つの折り目形成部材の斜視図である。
【図８】他の折り目形成部材の斜視図である。
【符号の説明】
【００３６】
１  折り目形成装置
２  折紙
３  折紙の束
１０  折り目形成部材
１１  平板
１１ａ  表面
１１ｂ  裏面
１２ａ  折り目稜線
１２ｂ  折り目稜線
１２ｃ  折り目稜線
１２ｄ  折り目稜線
１３ａ  折り目稜線
１３ｂ  折り目稜線
１３ｃ  折り目稜線
１５  規制枠（規制部材）
１５ａ  ガイド板
１５ｂ  ガイド板
１５ｃ  ガイド板
１５ｄ  ガイド板
１６  係合凸起（第１の係合部）
２０  折り目形成部材
２１  平板
２１ａ  表面
２１ｂ  裏面
２２ａ  折り目稜線
２２ｂ  折り目稜線
２３ａ  折り目稜線
２３ｂ  折り目稜線
２５  規制枠（規制部材）
２５ａ  ガイド板
２５ｂ  ガイド板
２５ｃ  ガイド板
２５ｄ  ガイド板
２６  係合凸起（第１の係合部）
３１  収容ケース
３２  基台
３２ａ  上面
３３  側壁
３４  側壁
３５  側壁
３６  側壁
３７  上部
３８  係止突起
３９  係止突起
４０  案内枠（案内部材）
４１  第１の案内片
４２  第２の案内片
４３  第３の案内片
４４  第４の案内片
４６  係合凹部（第２の係合部）
５１  支持突起
５１ａ  切り欠き
５２  支持突起
５２ａ  切り欠き
５３  支持突起
５３ａ  切り欠き
５４  リブ
６０  押圧部材
６１  押圧板
６１ａ  上面
６１ｂ  下面
６２  握持部材
６３  ガイド板
６４  ガイド板
６５  ガイド板
６６  ガイド板
６９  リブ
７０  弾性部材
７２  係止片
７３  アーム
７５  連結片
７６  軸受け部
【図１】
2008230773.tif 000003
【図２】
2008230773.tif 000004
【図３】
2008230773.tif 000005
【図４】
2008230773.tif 000006
【図５】
2008230773.tif 000007
【図６】
2008230773.tif 000008
【図７】
2008230773.tif 000009
【図８】
2008230773.tif 000010